(57)【要約】【課題】検査・修繕の履歴を直感的に把握することができる機器履歴管理表示システムを提供する。【解決手段】鉄道車両、船舶、航空機などに装備される機器の検査・修繕の管理に用いられる機器履歴管理表示システムにおいて、履歴管理対象機器が実稼働していた状態を台形状表示部１１０４で表示し、履歴管理対象機器が稼働していなかった状態を逆台形状表示部１１０７で表示するように設定される。【選択図】      図１１
2008139950.tif 000002
【特許請求の範囲】
【請求項１】
鉄道車両、船舶、航空機などに装備される機器の検査・修繕の管理に用いられる機器履歴管理表示システムにおいて、
履歴管理対象機器が実稼働していた状態を台形状表示部で表示し、履歴管理対象機器が稼働していなかった状態を逆台形状表示部で表示するように設定されることを特徴とする機器履歴管理表示システム。
【発明の詳細な説明】
【技術分野】
【０００１】
本発明は、鉄道車両、船舶、航空機などに装備される機器の検査・修繕の管理に用いられる機器履歴管理表示システムに関する。
【背景技術】
【０００２】
鉄道車両、船舶、航空機などは一定条件（使用期間または使用距離）内において検査・修繕を実施し、鉄道車両や船体、機体などに装備されている機器について検査・修繕を実施することが法令より義務づけられる。
【０００３】
鉄道車両、船体、機体などに装備される機器の検査・修繕の管理には、コンピュータシステムが利用される。このようなコンピュータシステムにおいては、鉄道車両、船体、機体などの検査実績・機器取付・取外・取替による検査実績を入力し、その検査履歴及び装備機器の装備履歴、機器履歴データをモニタリングするようにしている。
【０００４】
このようなコンピュータシステムの類例として、昇降機に関するものであるが、引用文献１（特開２００４−３２３１６２号公報）に、保全作業実績、機器稼動実績、顧客データを収集するデータ収集システムと、収集したデータより、機器部品の寿命分布を解析する部品寿命解析部とを備える保全事業支援システムが記載されている。
【特許文献１】特開２００４−３２３１６２号公報
【発明の開示】
【発明が解決しようとする課題】
【０００５】
しかしながら、上記のような保全事業支援システムにおいては、時系列の流れの中で、直感的に検査・修繕の履歴を把握することができない、という問題があった。すなわち、特許文献１の図３に示されるようなグラフィカルユーザーインターフェイスでは、検査・修繕履歴の流れについて分かりやすく把握することが困難であった。
【課題を解決するための手段】
【０００６】
このような課題を解決するために、請求項１に係る発明は、鉄道車両、船舶、航空機などに装備される機器の検査・修繕の管理に用いられる機器履歴管理表示システムにおいて、履歴管理対象機器が実稼働していた状態を台形状表示部で表示し、履歴管理対象機器が稼働していなかった状態を逆台形状表示部で表示するように設定されることを特徴とする。
【発明の効果】
【０００７】
本発明によれば、履歴管理対象機器が実稼働していた期間を台形状表示部で表示し、また、検査などで履歴管理対象機器が取り外されていた期間を逆台形状表示部で表示するように設定することで、検査・修繕の履歴を直感的に把握することができるようになる。
【発明を実施するための最良の形態】
【０００８】
以下、本発明の実施の形態を図面を参照しつつ説明する。図１は、本発明の実施形態に係る機器履歴管理表示システムを実現するコンピュータシステムのブロック構成を示す図である。本発明による機器履歴管理表示システムは、パーソナルコンピュータ等の汎用のコンピュータにより構築されており、機器履歴管理表示システムに関する種々の機能を所定のコンピュータにより実現させる機器履歴管理表示システム用のプログラム（ソフトウェア）が、ハードディスク（ＨＤＤ）等の外部メモリに保存されかつインストールされてなるものである。
【０００９】
図１において、１００はパーソナルコンピュータ、１１０はシステムバス、１１１はＣＰＵ、１１２はＲＡＭ、１１３はＲＯＭ、１１４は表示制御部、１１５は表示機器、１１６は入力制御部、１１７は入力機器、１１８は出力制御部、１１９は出力機器、１２０はＨＤＤ制御部、１２１はＨＤＤ、１２２は通信制御部をそれぞれ示している。
【００１０】
ＣＰＵ１１１は中央演算処理手段でありシステムバス１１０を介して各構成を統括することによりパーソナルコンピュータ１００を全体的に制御する。ＲＡＭ１１２は書き換え可能なメモリ手段であり、ＲＯＭ１１３は書き換え不可能なメモリ手段である。また、ＨＤＤ１２１（ハードディスクドライブ）は、大容量の外部メモリである。ＨＤＤ制御部１２０はＨＤＤ１２１のコントロールを司る。
【００１１】
ＣＰＵ１１１は、システムバス１０に接続される各デバイスを統括的に制御する。ＲＯＭ１１３内のプログラム用ＲＯＭあるいはＨＤＤ１２１には、ＣＰＵ１１１の制御プログラムであるオペレーティングシステムプログラム等の基本プログラムが記憶されている。また、ＲＯＭ１１３あるいはＨＤＤ１２１には出力データ処理等を行う際に使用される各種データが記憶されている。ＲＡＭ１１２は、ＣＰＵ１１１の主メモリ、ワークエリア等として機能する。また、ＣＰＵ１１１は、ＲＯＭ１１３内のプログラム用ＲＯＭ、或いは、大容量のＨＤＤ１２１に記憶されたプログラム等に応じて、外部機器と通信することで出力データを検索・取得し、また、図形、イメージ、文字、表等が混在した出力データの処理を実行し、更に、ＨＤＤ１２１に格納されているデータベースの管理を実行する。
【００１２】
表示制御部１１４は、表示パネルなどの表示手段である表示機器１１５の制御を司る。表示制御部１１４は表示機器１１５に文字や図形イメージ、表などの表示を行うように制御し、後述するようなグラフィカルインターフェイスを実現する。
【００１３】
入力制御部１１６は、キーボードやポインティングデバイスの入力手段である入力機器１１７の制御を行う。本実施形態に係る機器履歴管理表示システムの使用者は、キーボードやポインティングデバイスなどの入力機器１１７の操作を通じて、必要な事項を機器履歴管理表示システムに入力する。
【００１４】
出力制御部１１８は、プリンタなどの印刷手段、或いはデータストレージなどの記憶手段である出力機器１１９に対する制御を行う。本発明においては、プリンタなどの出力機器１１９によって、機器履歴管理表示システムの表示機器１１５の画面上に表示される事項が紙媒体などに印刷出力できるようになっている。
【００１５】
通信制御部１２２は、ネットワークを介して、外部機器と通信を制御するものであり、これにより本実施形態に係る機器履歴管理表示システムが加工に必要とするデータを、例えばサーバなどが保有するデータベースから取得したり、或いは、機器履歴管理表示システムで新規に入力されたデータをサーバなどに送信したりすることができるように構成される。
【００１６】
ＨＤＤ１２１には、ＣＰＵ１１１の制御プログラムであるオペレーティングシステムプログラム以外に、機器履歴管理表示システムや当該システムが必要とするデータなどが記憶されている。本実施形態に係る機器履歴管理表示システムにおいて必要とするデータが、ＨＤＤ１２１に存在しないような場合には、通信制御部１２２がインターネットを介して取得するように設定しておくことも可能である。なお、本発明の機器履歴管理表示システムが必要とするデータは、例えば、図１２に示すような形式のものである。
【００１７】
以上、本発明の実施形態に係る機器履歴管理表示システムを実現するコンピュータシステムが単体のコンピュータシステムである例について説明したが、周知の通りコンピュータシステムにおいてはネットワークを用いてデータやリソースを分散する技術も一般的となっている。したがい、本発明の実施形態に係る機器履歴管理表示システムは、説明したような単体のコンピュータシステムで実現する場合に限らず、ネットワークで接続された複数のコンピュータからなるシステムで実現する場合も含むものである。
【００１８】
次に、以上のように構成された本発明の実施形態に係る機器履歴管理表示システムを実現するコンピュータシステムに基づいて、どのような表示動作が行われるのかにつき説明する。図２乃至図９は、本発明の実施形態に係る機器履歴管理表示システムにおける表示画面の表示例を示す図である。以下の表示例においては、本発明の機器履歴管理表示システムを鉄道車両の検査・修繕の管理に用いた場合を例にとり説明する。
【００１９】
図２において、２００は鉄道車両からみた装備機器履歴及び検査履歴の表示ウインドウの概略を示している。表示ウインドウ２００は、ある編成のある車両に、どのような装備がどのような検査時に装備されたのかを直感的に把握しやすいように工夫がされたものである。このような表示ウインドウ２００は、本実施形態の機器履歴管理表示システムが、先に示したコンピュータシステムのＨＤＤ１２１に記憶されたプログラムに基づいて、ＣＰＵ１１１が、図１２に示されるようなデータを参照しつつ、その他のシステム構成と協働して動作することによって実現することができるものである。
【００２０】
図２において、２０１は車両番号の表示エリア、２０２は現在日付表示エリア、２０３は鉄道車両表示エリア、２０４は編成・号車表示エリア、２０５乃至２１０は装備機器表示エリア、２１１はイベント・履歴表示エリア、２１２は検査種別表示エリア、２１３及び２１４はイベント・履歴の日付表示エリア、２１５は取付機器形式表示エリア、２１６は取付機器管理番号表示エリア、２１７は走行距離表示エリア、２１８は現在状態表示用矢印をそれぞれ示している。
【００２１】
車両番号の表示エリア２０１は、車両の番号を表示する表示エリアであり、この図２に示す例においては、車両番号が「Ｍ２−２０８−０２００」であるものを表示している。現在日付表示エリア２０２は、現在の日付を表示する表示エリアである。鉄道車両表示エリア２０３は、車両番号「Ｍ２−２０８−０２００」が付された車両が、新造後に走行した累積距離が表示されるエリアである。編成・号車表示エリア２０４は、車両番号「Ｍ２−２０８−０２００」が付された車両がどの  編成番号の何号車であるのかを示すための表示エリアである。
【００２２】
装備機器表示エリア２０５乃至２１０は、車両番号「Ｍ２−２０８−０２００」が付された車両にこれまで、どのような装備機器がどのようなタイミングで装着されていたかを示す表示エリアである。この例では、車両番号「Ｍ２−２０８−０２００」の車両に、「台車（親機）」、「モータ１（台車１の子機）」、「車輪１（台車１の子機）」、「車輪２（台車１の子機）」、「冷暖房」、「コンプレッサ」が装着されていることを表示している状態を示している。
【００２３】
なお、車両が備える装備品の中には、階層的な概念が導入されているものがあり、この例では、「台車（親機）」の下位の階層として「モータ１（台車１の子機）」、「車輪１（台車１の子機）」、「車輪２（台車１の子機）」が存在している。これは、実際に「台車（親機）」自体に「モータ１（台車１の子機）」、「車輪１（台車１の子機）」、「車輪２（台車１の子機）」が取り付けられた状態で、「台車（親機）」が車両に装備されるからである。本発明の実施形態に係る機器履歴管理表示システムでは、このような階層的な装備機器の管理をも行うものである。
【００２４】
装備機器表示エリア２０５乃至２１０の項目名「台車（親機）」、「モータ１（台車１の子機）」、「車輪１（台車１の子機）」、「車輪２（台車１の子機）」、「冷暖房」、「コンプレッサ」の右側には、当該装備機器として、どの取付機器形式のどの取付機器管理番号のものが装着されていたのかを表示する領域となっている。また、同領域には、所定の取付機器形式の所定の取付機器管理番号のものによる走行距離が示される。
【００２５】
装備機器表示エリア２０５乃至２１０における取付機器形式表示エリア２１５は、装備機器の取付機器形式を表示するエリアであり、取付機器管理番号表示エリア２１６は、装備機器の取付機器管理番号を表示するエリアであり、走行距離表示エリア２１７は、当該取付機器管理番号の装備機器で走行した距離を表示するエリアであり、現在状態表示用矢印２１８は当該矢印が付されている状態が現在も進行している、ということを示すためのマークである。
【００２６】
イベント・履歴表示エリア２１１は、所定の取付機器形式の所定の取付機器管理番号がどのようないつからいつまで取り付けられ、どのような種別の検査で取り外されたのかを示す表示エリアである。イベント・履歴表示エリア２１１における検査種別表示エリア２１２は、「要部検査」、「全部検査」などの検査種別を表示するエリアであり、イベント・履歴の日付表示エリア２１３及び２１４は、装備機器の取付、取外の日付を表示するエリアである。
【００２７】
以上のような装備機器履歴及び検査履歴の表示ウインドウ２００において、特に、本発明の機器履歴管理表示システムに特有な表示方法について次に説明する。図１０は、本発明の実施形態に係る機器履歴管理表示システムにおける表示画面の要部を示す図である。
図１０において、１０００乃至１００２はイベント・履歴の日付表示エリア、１００３は走行距離表示エリア、１００４は台形状表示部、１００５は取付機器形式表示エリア、１００６は取付機器管理番号表示エリアをそれぞれ示している。
【００２８】
本発明の機器履歴管理表示システムにおいては、装備機器が車両に取り付けられ稼働していた期間を台形状表示部１００４のような形態で表示する。図示するように台形状表示部１００４は、ルーズリーフの表題（タブ）のような形態の表示部である。この台形状表示部１００４の両脇には、イベント・履歴の日付表示エリア１００１及び１００２を設けて、装備機器が車両に取り付けられ稼働していた期間がいつからいつまででるのかが明確に分かるようになっている。また、台形状表示部１００４の上の部分には、走行距離表示エリア１００３を設けて、取り付けられた装備機器により車両が走行した距離が把握できるようになっている。また、台形状表示部１００４内には、取付機器形式表示エリア１００５及び取付機器管理番号表示エリア１００６があり、どの装備機器が車両に搭載されていたのかが一目瞭然となるようになっている。
【００２９】
逆に、検査などで装備機器が車両から取り外されていた期間には、図示するように台形状表示部１００４を設けないようにする。図１０に示す例では、例えば、イベント・履歴の日付表示エリア１０００から１００１の期間が、検査などで装備機器が車両から取り外されていた期間である。
【００３０】
以上のように本発明においては、装備機器が車両に取り付けられ稼働していた期間を台形状表示部１００４で表示し、また、検査などで装備機器が車両から取り外されていた期間を台形状表示部１００４で表示しないように設定することで、検査履歴及び装備機器の装備履歴を直感的に把握することができるようになる。
【００３１】
次に、本発明の実施形態に係る機器履歴管理表示システムにおける別の表示動作につき説明する。図３において、３００は装備機器側からみた装備車両履歴の表示ウインドウの概略を示している。図３において、３０１は機器形式の表示エリア、３０２はその機器の管理番号の表示エリア、３０３は当該機器の取付車両の車号表示エリア、３０４はイベント・履歴表示エリア、３０５は検査種別表示エリア、３０６及び３０７はイベント・履歴の日付表示エリア、３０８は取付車号表示エリア、３０９は走行距離表示エリア、３１０は現在状態表示用矢印をそれぞれ示している。
【００３２】
図３において、機器形式の表示エリア３０１は、装備機器の取付機器形式を表示するエリアであり、表示エリア３０２は、その取付機器形式の機器の管理番号を表示するエリアであり、車号表示エリア３０３は、その取付機器形式の機器の取付車両を表示するエリアであり、現在状態表示用矢印３１０は当該矢印が付されている状態が現在も進行している、ということを示すためのマークである。
【００３３】
イベント・履歴表示エリア３０４における検査種別表示エリア３０５は、どのような種別の検査で取付・取外が行われたのかを示す表示エリアである。また、イベント・履歴の日付表示エリア３０６及び３０７は、装備機器の取付、取外の日付を表示するエリアである。また、取付車号表示エリア３０８は、当該機器が取り付けられていた車号を表示するエリアである。また、走行距離表示エリア３０９は、当該機器が取り付けられていた車号の走行距離を表示するエリアである。
【００３４】
以上のような装備機器側からみた装備車両履歴の表示ウインドウ３００において、特に、本発明の機器履歴管理表示システムに特有な表示方法について次に説明する。図１１は、本発明の実施形態に係る機器履歴管理表示システムにおける表示画面の要部を示す図である。図１１において、１１００及び１００１はイベント・履歴の日付表示エリア、１１０３は走行距離表示エリア、１１０４は台形状表示部、１１０５は取付車号表示エリア、１００７は逆台形表示部をそれぞれ示している。
【００３５】
本発明の機器履歴管理表示システムにおいては、装備機器が車両に取り付けられ稼働していた期間を台形状表示部１００４のような形態で表示する。また、装備機器が車両から取り外されていた期間を逆台形状部１００６のような状態で表示する。
【００３６】
本発明においては、このように、装備機器が車両に取り付けられ稼働していた期間を台形状表示部１００４で表示し、また、検査などで装備機器が車両から取り外されていた期間を逆台形状表示部１００６で表示するように設定することで、装備機器の車両への装備履歴を直感的に把握することができるようになる。
【００３７】
次に、本発明の実施形態に係る機器履歴管理表示システムにおける別の表示動作につき説明する。図４において、４００は機器組立履歴の表示ウインドウの概略を示している。車両が備える装備品の中には、階層的な概念が導入されているものがある。親機である「台車」に子機である「モータ」が取り付けられた状態で車両に装備されるので、このような階層的な概念が必要となる。図4の機器組立履歴の表示ウインドウ４００は、親機にどの子機が装備された上で、どの車両に搭載されていたかを示すものである。この機器組立履歴の表示ウインドウ４００においても、装備機器が車両に取り付けられ稼働していた期間を台形状の表示部で示すように設定される。
【００３８】
図４において、４０１は機器名称表示エリア、４０２はその機器の管理番号の表示エリア、４０３はイベント・履歴表示エリア、４０４は親機器表示エリア、４０５は子機器表示エリア、４０６は検査種別表示エリア、４０７はイベント・履歴の日付表示エリア、４０８は親機器形式表示エリア、４０９は親機器管理番号表示エリア、４１０は取付車号・部位表示エリア、４１１は走行距離表示エリア、４１２は現在状態表示用矢印をそれぞれ示している。
【００３９】
図４において、機器形式表示エリア４０１は、ウインドウ４００が対象とする子機の機器形式を表示するエリアであり、管理番号表示エリア４０２は、その機器の管理番号を表示するエリアであり、イベント・履歴表示エリア４０３は、イベント・履歴の表示を行うエリアであり、親機器表示エリア４０４は、子機が取り付けられる親機器に関する情報の表示エリアであり、子機器表示エリア４０５は、子機に関する情報の表示エリアであり、検査種別表示エリア４０６は、どのような種別の検査で取付・取外が行われたのかを示す表示エリアであり、イベント・履歴の日付表示エリア４０７は、装備機器の取付、取外の日付を表示するエリアであり、親機器形式表示エリア４０８は、親機器の形式を表示するエリアであり、親機器管理番号表示エリア４０９は、親機器の管理番号を表示するエリアであり、取付車号・部位表示エリア４１０は、取付車号・部位の表示を行うエリアであり、走行距離表示エリア４１１は、当該機器が取り付けられていた車号の走行距離を表示するエリアでり、現在状態表示用矢印４１２は当該矢印が付されている状態が現在も進行していることを示す表示である。
【００４０】
次に、本発明の実施形態に係る機器履歴管理表示システムにおける装備機器の取付・取外・取替情報の更新の際の操作について説明する。図５において、５００は装備機器の取付・取外・取替情報の更新用の表示ウインドウの概略を示している。この表示ウインドウ５００は、概ね表示ウインドウ２００における表示と、予備品表示ウインドウ５０２の表示とからなっている。表示ウインドウ２００の説明については重複するのでここでは省略する。本発明の実施形態に係る機器履歴管理表示システムにおいては、予備品表示ウインドウ５０２の中から、選択したい予備品をマウスのポインタ５０４でドラッグして、表示エリア５０１近傍にドロップすることによって、装備機器の取付・取外・取替情報の更新を行うことができる。このように本発明の機器履歴管理表示システムでは、簡便に装備機器の取付・取外・取替情報の更新を行うことができる。
【００４１】
次に、本発明の実施形態に係る機器履歴管理表示システムにおける装備機器の取外を入力する機能について説明する。図６において、６００は装備機器の取外を入力する表示ウインドウの概略を示している。また、図７において、７００は装備機器の取付を入力する表示ウインドウの概略を示している。表示ウインド６００において、検査ボタン６０１をクリックすると、表示ウインドウ７００のような表示に変更され、「台車」、「モータ１」、「車輪１」、「車輪２」の全ての装備機器項目において、「装備待ち」の状態となる。予備品表示ウインドウ７０２の中から、選択したい予備品をマウスのポインタ７０４でドラッグして、装備機器項目ごとの「装備待ち」表示エリア７０１近傍にドロップすることによって、装備機器の取付情報の更新を行うことができる。このように本発明の機器履歴管理表示システムでは、簡便に装備機器の取付・取外情報の更新を行うことができる。
【００４２】
次に、本発明の実施形態に係る機器履歴管理表示システムにおける装備機器の取替を入力する機能について説明する。図８において、８００は装備機器の取替を入力する表示ウインドウの概略を示している。また、図９において、９００は装備機器の取付を入力する表示ウインドウの概略を示している。表示ウインドウ８００において、取替・追加ボタン８０１をクリックすると、
取替詳細に関する情報の入力を促すボックス８０２が表示される。このボックス８０２においては、例えば、マウスのポインタ８０４で検査種別の選択を行うようになっている。
【００４３】
ここで、ボックス８０２において検査種別の入力が完了すると、表示ウインドウ９００のような表示に変更され、「台車」、「モータ１」、「車輪１」、「車輪２」の全ての装備機器項目において、「装備待ち」の状態となる。予備品表示ウインドウ９０２の中から、選択したい予備品をマウスのポインタ９０４でドラッグして、装備機器項目ごとの「装備待ち」表示エリア９０１近傍にドロップすることによって、装備機器の取付情報の更新を行うことができる。このように本発明の機器履歴管理表示システムでは、簡便に装備機器の取替・取付情報の更新を行うことができる。
【００４４】
以上、本発明によれば、装備機器が車両に取り付けられ稼働していた期間を台形状表示部で表示し、また、検査などで装備機器が車両から取り外されていた期間を逆台形状表示部で表示するように設定することで、検査・修繕の装備履歴を直感的に把握することができるようになる。また、本発明の機器履歴管理表示システムでは、マウスを使ったドラッグアンドドロップ操作によって簡便に装備機器の取付・取外・取替情報の更新を行うことができる。
【００４５】
なお、本発明の実施の形態においては、鉄道車両を例にとり、機器履歴管理表示システムの説明を行ったが、本発明の適用先はこれに限らず、航空機・船舶・自動車、その他の組立機器・構造物などにも適用し得るものである。
【図面の簡単な説明】
【００４６】
【図１】本発明の実施形態に係る機器履歴管理表示システムを実現するコンピュータシステムのブロック構成を示す図である。
【図２】本発明の実施形態に係る機器履歴管理表示システムにおける表示画面の表示例を示す図である。
【図３】本発明の実施形態に係る機器履歴管理表示システムにおける表示画面の表示例を示す図である。
【図４】本発明の実施形態に係る機器履歴管理表示システムにおける表示画面の表示例を示す図である。
【図５】本発明の実施形態に係る機器履歴管理表示システムにおける表示画面の表示例を示す図である。
【図６】本発明の実施形態に係る機器履歴管理表示システムにおける表示画面の表示例を示す図である。
【図７】本発明の実施形態に係る機器履歴管理表示システムにおける表示画面の表示例を示す図である。
【図８】本発明の実施形態に係る機器履歴管理表示システムにおける表示画面の表示例を示す図である。
【図９】本発明の実施形態に係る機器履歴管理表示システムにおける表示画面の表示例を示す図である。
【図１０】本発明の実施形態に係る機器履歴管理表示システムにおける表示画面の要部を示す図である。
【図１１】本発明の実施形態に係る機器履歴管理表示システムにおける表示画面の要部を示す図である。
【図１２】本発明の実施形態に係る機器履歴管理表示システムが保有するデータ形式の一例を示す図である。
【符号の説明】
【００４７】
１１０・・・システムバス、１１１・・・ＣＰＵ、１１２・・・ＲＡＭ、１１３・・・ＲＯＭ、１１４・・・表示制御部、１１５・・・表示機器、１１６・・・入力制御部、１１７・・・入力機器、１１８・・・出力制御部、１１９・・・出力機器、１２０・・・ＨＤＤ制御部、１２１・・・ＨＤＤ、１２２・・・通信制御部
【図１】
2008139950.tif 000003
【図２】
2008139950.tif 000004
【図３】
2008139950.tif 000005
【図４】
2008139950.tif 000006
【図５】
2008139950.tif 000007
【図６】
2008139950.tif 000008
【図７】
2008139950.tif 000009
【図８】
2008139950.tif 000010
【図９】
2008139950.tif 000011
【図１０】
2008139950.tif 000012
【図１１】
2008139950.tif 000013
【図１２】
2008139950.tif 000014